(57)【要約】【課題】店舗および購入者の双方に負担なく商品購入総額を購入者を確認する。【解決手段】商品管理装置２０で、販売する商品を識別するための商品コードごとに当該商品の単価を記憶しておき、購入者の所有する携帯電話機１０で、購入商品に添付されている商品コードを読み取って、商品管理装置２０とデータ通信を行うことにより商品コードと対応する単価をそれぞれ取得し、これら商品コードおよび単価と当該購入商品の購入数量との組を購入商品情報に登録し、これら単価と購入数量とに基づいて購入商品情報に登録されているすべての購入商品の購入総額を算出して画面表示することにより購入者へ提示する。【選択図】  図１
2011227643.tif 000002
【特許請求の範囲】
【請求項１】
購入者が購入する購入商品の金額を精算するレジシステムであって、
販売する商品を識別するための商品コードごとに当該商品の単価を記憶する商品管理装置と、
前記購入者の所有する携帯電話機からなり、前記購入商品に添付されている商品コードを読み取って、前記商品管理装置とデータ通信を行うことにより前記商品コードと対応する単価をそれぞれ取得し、これら商品コードおよび単価と当該購入商品の購入数量との組を購入商品情報に登録し、これら単価と購入数量とに基づいて前記購入商品情報に登録されているすべての前記購入商品の購入総額を算出して画面表示することにより前記購入者へ提示する携帯電話機と
を備えることを特徴とするレジシステム。
【請求項２】
請求項１に記載のレジシステムにおいて、
前記購入商品の金額を精算する際、前記携帯電話機とデータ通信を行うことにより前記購入商品情報を取得し、この購入商品情報に含まれる各購入商品の単価と購入数量とに基づいて前記購入商品の支払金額を精算するレジ装置をさらに備えることを特徴とするレジシステム。
【請求項３】
請求項１に記載のレジシステムにおいて、
前記購入商品の金額を精算する際、前記携帯電話機とデータ通信を行うことにより前記購入総額を取得し、この購入総額に基づいて前記購入商品の支払金額を精算するレジ装置をさらに備えることを特徴とするレジシステム。
【請求項４】
請求項１に記載のレジシステムにおいて、
前記購入商品の金額を精算する際、前記携帯電話機とデータ通信を行うことにより前記購入商品情報のうちから、各購入商品の商品コードおよび購入数量を取得し、前記商品管理装置とデータ通信を行うことによりこれら商品コードと対応する単価をそれぞれ取得し、これら購入商品の単価と購入数量とに基づいて前記購入商品の支払金額を精算するレジ装置をさらに備えることを特徴とするレジシステム。
【請求項５】
購入者が購入する購入商品の金額を精算するレジシステムで用いる商品購入総額確認方法であって、
商品管理装置が、販売する商品を識別するための商品コードごとに当該商品の単価を記憶する商品管理ステップと、
前記購入者の所有する携帯電話機が、前記購入商品に添付されている商品コードを読み取るステップと、
前記商品管理装置とデータ通信を行うことにより前記商品コードと対応する単価をそれぞれ取得するステップと、
これら商品コードおよび単価と当該購入商品の購入数量との組を購入商品情報に登録するステップと、
これら単価と購入数量とに基づいて前記購入商品情報に登録されているすべての前記購入商品の購入総額を算出して画面表示することにより前記購入者へ提示するステップと
を備えることを特徴とする商品購入総額確認方法。
【請求項６】
商品を購入する購入者が所有する携帯電話機からなり、
前記購入者が購入する購入商品に添付されている商品コードを読み取って、当該商品コードの読取回数から得た購入数量または操作入力された当該購入商品の購入数量とを取得する商品情報登録部と、
販売する商品を識別するための商品コードごとに当該商品の単価を記憶する商品管理装置とデータ通信を行うことにより、前記商品コードと対応する単価をそれぞれ取得し、当該商品コードと単価の組を購入商品情報として保存する商品単価取得部と、
前記購入商品情報に含まれる前記商品コードと前記単価の組に基づいて、前記購入商品の購入総額を算出して画面表示する購入総額算出部と
を備えることを特徴とする携帯電話機。
【請求項７】
請求項６に記載の携帯電話機において、
精算要求操作に応じて、前記購入商品の金額を精算するレジ装置とデータ通信を行うことにより、前記購入商品情報のうち、少なくとも前記レジ装置での精算に用いる前記購入商品の商品コードを送信する精算要求部をさらに備えることを特徴とする携帯電話機。
【請求項８】
コンピュータを、請求項６または請求項７に記載の携帯電話機を構成する各部として機能させるためのプログラム。
【発明の詳細な説明】
【技術分野】
【０００１】
本発明は、購入商品精算技術に関し、特に商品の精算を行う前に商品購入総額を購入者が確認できる商品購入総額確認技術に関する。
【背景技術】
【０００２】
スーパーマーケットやホームセンタなどの店舗では、購入者が多種にわたる複数の使用品を一括して購入するため、レジで購入する商品の精算を行う際に時間がかかり、さらにクレジットカードでの決済にも与信確認のため時間がかかるため、レジに長い行列が発生しやすい。
また、購入者はレジで精算するまで商品購入総額を確認できないため、現金や電子マネー等の所持金額が足りない場合には精算が出来ない事態が発生し、購入を取りやめる等の問題があった。また、購入取りやめ時には、手に取ってレジまで持って行った商品を購入者または店員が元の陳列場所に戻す必要が発生し、手間が掛かった。特に、購入者が自分でレジを操作するセルフレジの場合、入力した商品の購入を取り消す操作を不慣れな購入者か自ら行わなければならず、購入者に対して大きな操作負担となる。
【０００３】
このような商品購入時の精算やクレジットカード決済に要する時間を短縮するため、店舗に来店した購入者に対して専用端末を貸し出して、購入者が商品を手にとって買い物かごやカートへ入れる際、専用端末で商品から商品情報を読み取り、精算を行う前に、これら商品情報に基づき商品購入総額を算出して購入者に提示する技術が提案されている（例えば、特許文献１など参照）。
【先行技術文献】
【特許文献】
【０００４】
【特許文献１】特開２００３−１８７３３４号公報
【発明の概要】
【発明が解決しようとする課題】
【０００５】
しかしながら、このような関連技術では、店舗ごとに専用端末を用意して購入者への貸出・返却を管理する必要があるため、店舗側での設備コスト負担や保守負担が増大するとともに、店舗および購入者の双方に、専用端末の貸出・返却のための負担が増大するという問題点があった。
本発明はこのような課題を解決するためのものであり、店舗および購入者の双方に負担なく商品購入総額を購入者が確認できる商品購入総額確認技術を提供することを目的としている。
【課題を解決するための手段】
【０００６】
このような目的を達成するために、本発明にかかるレジシステムは、購入者が購入する購入商品の金額を精算するレジシステムであって、販売する商品を識別するための商品コードごとに当該商品の単価を記憶する商品管理装置と、購入者の所有する携帯電話機からなり、購入商品に添付されている商品コードを読み取って、商品管理装置とデータ通信を行うことにより商品コードと対応する単価をそれぞれ取得し、これら商品コードおよび単価と当該購入商品の購入数量との組を購入商品情報に登録し、これら単価と購入数量とに基づいて購入商品情報に登録されているすべての購入商品の購入総額を算出して画面表示することにより購入者へ提示する携帯電話機とを備えている。
【０００７】
また、本発明にかかる商品購入総額確認方法は、購入者が購入する購入商品の金額を精算するレジシステムで用いる商品購入総額確認方法であって、商品管理装置が、販売する商品を識別するための商品コードごとに当該商品の単価を記憶する商品管理ステップと、購入者の所有する携帯電話機が、購入商品に添付されている商品コードを読み取るステップと、商品管理装置とデータ通信を行うことにより商品コードと対応する単価をそれぞれ取得するステップと、これら商品コードおよび単価と当該購入商品の購入数量との組を購入商品情報に登録するステップと、これら単価と購入数量とに基づいて購入商品情報に登録されているすべての購入商品の購入総額を算出して画面表示することにより購入者へ提示するステップとを備えている。
【０００８】
また、本発明にかかる携帯電話機は、商品を購入する購入者が所有する携帯電話機からなり、購入者が購入する購入商品に添付されている商品コードを読み取って、当該商品コードの読取回数から得た購入数量または操作入力された当該購入商品の購入数量とを取得する商品情報登録部と、販売する商品を識別するための商品コードごとに当該商品の単価を記憶する商品管理装置とデータ通信を行うことにより、商品コードと対応する単価をそれぞれ取得し、当該商品コードと単価の組を購入商品情報として保存する商品単価取得部と、購入商品情報に含まれる商品コードと単価の組に基づいて、購入商品の購入総額を算出して画面表示する購入総額算出部とを備えている。
【０００９】
また、本発明にかかるプログラムは、コンピュータを、前述した携帯電話機を構成する各部として機能させるためのプログラムである。
【発明の効果】
【００１０】
本発明によれば、購入者の所有する携帯電話機での操作により、購入商品の購入総額を容易に確認できるため、店舗ごとに専用端末を用意して購入者への貸出・返却を管理する必要がなくなる。このため、店舗側での設備コスト負担や保守負担の発生、店舗および購入者の双方における、専用端末の貸出・返却のための負担の発生を解消することができ、店舗および購入者の双方に負担なく商品購入総額を購入者が確認することが可能となる。
【図面の簡単な説明】
【００１１】
【図１】本実施形態にかかるレジシステムの構成を示すブロック図である。
【図２】購入商品情報の構成例である。
【図３】商品マスタ情報の構成例である。
【図４】本実施形態にかかるレジシステムの動作を示すシーケンス図である。
【発明を実施するための形態】
【００１２】
次に、本発明の一実施形態について図面を参照して説明する。
［レジシステム］
まず、図１を参照して、本実施形態にかかるレジシステムについて説明する。図１は、本実施形態にかかるレジシステムの構成を示すブロック図である。
このレジシステム１は、スーパーマーケットやホームセンタなどの店舗で利用されて、購入者が購入する購入商品の金額を精算する機能を有しており、主な構成として、携帯電話機１０、商品管理装置２０、およびレジ装置３０が設けられている。
【００１３】
本実施形態は、商品管理装置２０で、販売する商品を識別するための商品コードごとに当該商品の単価を記憶しておき、購入者の所有する携帯電話機１０で、購入商品に添付されている商品コードを読み取り、商品管理装置２０とデータ通信を行うことにより商品コードと対応する単価をそれぞれ取得して、当該商品コードと単価の組を購入商品情報に登録し、これら単価に基づいて購入商品情報に登録されているすべての購入商品の購入総額を算出して画面表示することにより購入者へ提示し、レジ装置３０で、携帯電話機１０とデータ通信を行うことにより購入商品情報を取得し、この購入商品情報に基づいて購入商品の支払金額を精算するようにしたものである。
【００１４】
［携帯電話機］
次に、本実施形態にかかる携帯電話機１０の構成について詳細に説明する。
この携帯電話機１０には、主な機能部として、無線通信部１１、音声処理部１２、通信インターフェース部（以下、通信Ｉ／Ｆという）１３、カメラ部１４、操作入力部１５、画面表示部１６、記憶部１７、および制御部１８が設けられている。
【００１５】
無線通信部１１は、専用の無線通信回路からなり、携帯網（図示せず）と無線データ通信を行うことにより、無線通話のための音声データや制御データをやり取りする機能を有している。
【００１６】
音声処理部１２は、専用の音声処理回路からなり、無線通信部１１で受信した音声データを音声信号に復号してスピーカ（図示せず）から出力する機能と、マイク（図示せず）から入力された音声信号を符号化して無線通信部１１へ出力する機能と、制御部１８からの指示に応じて着信音などの各種信号音をスピーカから出力する機能とを有している。
【００１７】
通信Ｉ／Ｆ部１３は、赤外線通信、Bluetooth（登録商標）、無線LAN、無線タグ通信などの専用の近距離無線通信回路からなり、商品管理装置２０やレジ装置３０とデータ通信を行うことにより、購入商品に関する各種情報をやり取りする機能を有している。
カメラ部１４は、画像を撮影するカメラからなり、制御部１８からの指示に応じて購入商品のバーコードを撮影する機能を有している。
【００１８】
操作入力部１５は、ダイヤルキーやカーソルキーなどの各種操作キーからなり、購入者の操作を検出して、制御部１８へ出力する機能を有している。
画面表示部１６は、ＬＣＤなどの画面表示装置からなり、制御部１８からの指示に応じて、操作メニューや電話帳などの携帯電話機用画面に加え、購入商品リストや購入総額などの購入商品に関する各種情報を画面表示する機能を有している。
【００１９】
記憶部１７は、半導体メモリなどの記憶装置からなり、制御部１８での処理に用いる各種処理情報とプログラム１７Ｐを記憶する機能を有している。プログラム１７Ｐは、外部装置や記録媒体（ともに図示せず）から予め記憶部１７へ格納されており、制御部１８に読み出されて実行されることにより、各種処理部を実現する携帯アプリケーションプログラムである。
記憶部１７で記憶する主な処理情報として、購入商品情報１７Ａと購入総額情報１７Ｂがある。
【００２０】
図２は、購入商品情報の構成例である。ここでは、購入商品を識別するための商品コードごとに、商品名、購入数量、単価、および購入金額が組として記憶されている。このうち商品コードは、カメラ部１４で撮影した購入商品に添付されているバーコードから制御部１８で取得したものであり、購入数量は、購入者から操作入力されたものである。また単価は、商品コードに基づいて商品管理装置２０から取得したものであり、購入金額は、購入数量と単価を乗算したものである。
また、購入総額情報１７Ｂは、購入商品情報１７Ａの購入金額を集計したものである。
【００２１】
制御部１８は、ＣＰＵとその周辺回路とを有し、記憶部１７のプログラム１７Ｐを読み込んで実行することにより、ＣＰＵとプログラムとを協働させることにより、各種処理部を実現する機能を有している。
制御部１８で実現される主な処理部として、呼制御部１８Ａ、商品情報登録部１８Ｂ、商品単価取得部１８Ｃ、購入総額算出部１８Ｄ、および精算要求部１８Ｅがある。
【００２２】
呼制御部１８Ａは、無線通信部１１を介して携帯網と制御データをやり取りすることにより、携帯網を介した無線通話を制御する機能を有している。
【００２３】
商品情報登録部１８Ｂは、操作入力部１５で検出された商品情報登録操作に応じて、カメラ部１４を制御して購入商品を撮影し、得られた画像内のバーコードから商品コードを取得する機能と、商品コードの読取回数から得た購入数量または操作入力部１５で検出された当該購入商品の購入数量とを取得する機能と、当該商品コードの購入数量と商品単価取得部１８Ｃで取得した単価とを乗算して購入金額を算出する機能と、当該商品コード、商品名、購入数量、単価、および購入金額の組を記憶部１７の購入商品情報１７Ａへ登録する機能とを有している。
【００２４】
商品単価取得部１８Ｃは、商品情報登録部１８Ｂでの商品コードの取得に応じて、あるいは当該商品コードの取得後に操作入力部１５で検出された商品単価取得操作に応じて、通信Ｉ／Ｆ部１３を介して商品管理装置２０とデータ通信を行うことにより、当該商品コードと対応する商品名および単価の照会要求を行って取得する機能を有している。
【００２５】
購入総額算出部１８Ｄは、商品単価取得部１８Ｃでの単価の取得に応じて、あるいは当該単価所得後に操作入力部１５で検出された購入総額確認操作に応じて、記憶部１７の購入商品情報１７Ａを参照し、購入商品情報１７Ａに登録されている商品コードの購入金額を集計することにより購入総額を算出する機能と、この購入総額を購入総額情報１７Ｂとして記憶部１７へ保存する機能と、記憶部１７の購入総額情報１７Ｂから読み出した購入総額を画面表示部１６で画面表示して購入者に提示する機能とを有している。
【００２６】
精算要求部１８Ｅは、操作入力部１５で検出された精算要求操作に応じて、記憶部１７の購入商品情報１７Ａを読み出し、通信Ｉ／Ｆ部１３を介してレジ装置３０とデータ通信を行うことにより、購入商品情報１７Ａを含む精算要求を送信する機能を有している。
【００２７】
［商品管理装置］
次に、図１を参照して、本実施形態にかかる商品管理装置２０の構成について詳細に説明する。
この商品管理装置２０は、全体としてサーバ装置などの情報処理装置からなり、主な機能部として、通信インターフェース部（以下、通信Ｉ／Ｆ部という）２１、単価照会部２２、および商品マスタ情報記憶部２３が設けられている。
【００２８】
通信Ｉ／Ｆ部２１は、赤外線通信、Bluetooth、無線LAN、無線タグ通信などの専用の近距離無線通信回路からなり、携帯電話機１０やレジ装置３０とデータ通信を行うことにより、購入商品に関する各種情報をやり取りする機能を有している。
【００２９】
単価照会部２２は、通信Ｉ／Ｆ部２１を介して携帯電話機１０から受信した照会要求に応じて、商品マスタ情報記憶部２３を検索し、当該照会要求で指定された商品コードと対応する商品名および単価を取得する機能と、取得した商品名および単価を通信Ｉ／Ｆ部２１から携帯電話機１０へ送信する機能とを有している。
【００３０】
商品マスタ情報記憶部２３は、ハードディスクや半導体メモリなどの記憶装置からなり、販売する商品を識別するための商品コードごとに、当該商品の商品名および単価を、商品マスタ情報として記憶する機能を有している。
図３は、商品マスタ情報の構成例である。ここでは、購入商品を識別するための商品コードごとに、商品名と単価とが組として記憶されている。
【００３１】
［レジ装置］
次に、図１を参照して、本実施形態にかかるレジ装置３０の構成について詳細に説明する。
レジ装置３０は、店舗の精算カウンタに設置される一般的なレジスターからなり、主な機能部として、通信インターフェース部（以下、通信Ｉ／Ｆ部）３１、購入情報取得部３２、操作入力部３３、表示部３４、および精算処理部３５が設けられている。
【００３２】
通信Ｉ／Ｆ部３１は、赤外線通信、Bluetooth、無線LAN、無線タグ通信などの専用の近距離無線通信回路からなり、携帯電話機１０や商品管理装置２０とデータ通信を行うことにより、購入商品に関する各種情報をやり取りする機能を有している。
【００３３】
購入情報取得部３２は、購入者が購入する購入商品の金額を精算する際、通信Ｉ／Ｆ部２１を介して携帯電話機１０から受信した購入要求から、購入商品情報１７Ａを取得する機能を有している。
【００３４】
操作入力部３３は、数字ボタンや金額確認ボタンなどの各種操作ボタンからなり、購入者やオペレータの操作を検出して、精算処理部３５へ出力する機能を有している。
表示部３４は、ＬＥＤや蛍光表示管などの表示装置からなり、精算処理部３５からの指示に応じて、支払金額などの購入商品の精算に関する各種情報を表示する機能を有している。
精算処理部３５は、購入者が購入する購入商品の支払金額を精算する際、購入情報取得部３２で取得した購入商品情報１７Ａに基づいて、購入商品の支払金額を精算する機能と、得られた支払金額を表示部３４で表示して購入者に提示する機能と、操作入力部３３で検出された金額確認操作に応じて、精算した支払金額について現金やキャッシュカードにより決済を行う機能とを有している。
【００３５】
［本実施形態の動作］
次に、図４を参照して、本実施形態にかかるレジシステムの動作について説明する。図４は、本実施形態にかかるレジシステムの動作を示すシーケンス図である。
本実施形態にかかるレジシステムの動作は、購入商品の登録動作、金額確認動作、および精算動作からなる３つの動作に大別される。ここでは、これら動作についてそれぞれ説明する。
【００３６】
［購入商品登録動作］
まず、図４を参照して、本実施形態にかかるレジシステムの購入商品登録動作について説明する。本実施形態にかかるレジシステムの購入商品登録動作は、図４のステップ１００〜ステップ１１０に相当する。
【００３７】
購入者は、気に入った商品を買い物かごやカートに入れる際、自身が所有する携帯電話機１０で商品情報登録操作を行う。
携帯電話機１０の制御部１８は、操作入力部１５で検出された商品情報登録操作に応じて（ステップ１００）、商品情報登録部１８Ｂで、カメラ部１４を制御して購入商品を撮影し、得られた画像内のバーコードから商品コードを取得する（ステップ１０１）。
続いて、商品単価取得部１８Ｃは、商品情報登録部１８Ｂでの商品コードの取得に応じて、通信Ｉ／Ｆ部１３を介して商品管理装置２０とデータ通信を行うことにより、当該商品コードと対応する商品名および単価の照会要求を送信する（ステップ１０２）。
【００３８】
商品管理装置２０の単価照会部２２は、通信Ｉ／Ｆ部２１を介して携帯電話機１０から受信した照会要求に応じて、商品マスタ情報記憶部２３を検索し、当該照会要求で指定された商品コードと対応する商品名および単価を取得し（ステップ１０３）、取得した商品名および単価を含む照会応答を、通信Ｉ／Ｆ部２１から携帯電話機１０へ送信する（ステップ１０４）。
【００３９】
商品単価取得部１８Ｃは、通信Ｉ／Ｆ部１３を介して商品管理装置２０から受信した照会応答から、照会要求した商品コードの商品名および単価を取得する（ステップ１０５）。
また、商品情報登録部１８Ｂは、商品コードの読取回数に基づき当該商品の購入数量を取得する（ステップ１０６）。この際、商品情報登録部１８Ｂは、画面表示部１６で当該商品の購入数量を入力する入力画面を表示し、操作入力部１５で検出された購入数量操作に応じて、当該商品の購入数量を取得してもよい。
【００４０】
この後、商品情報登録部１８Ｂは、この購入数量と商品単価取得部１８Ｃで取得した単価とを乗算して購入金額を算出し（ステップ１０７）、これら商品コード、商品名、購入数量、単価、および購入金額の組を記憶部１７の購入商品情報１７Ａへ登録する（ステップ１０８）。
【００４１】
続いて、購入総額算出部１８Ｄは、記憶部１７の購入商品情報１７Ａを参照し、購入商品情報１７Ａに登録されている商品コードの購入金額を集計することにより購入総額を算出する（ステップ１０９）。そして、この購入総額を購入総額情報１７Ｂとして記憶部１７へ保存するとともに、この購入総額を画面表示部１６で画面表示して購入者に提示する（ステップ１１０）。
【００４２】
これにより、購入者が気に入った商品を買い物かごやカートに入れる際、自身の携帯電話機で購入商品登録操作を行うだけで、当該購入商品の商品情報が携帯電話機１０へ登録され、それまでに登録した購入商品、すなわち買い物かごやカートに入れた購入商品の購入総額が、携帯電話機１０で画面表示される。
【００４３】
［購入総額確認動作］
まず、図４を参照して、本実施形態にかかるレジシステムの購入総額確認動作について説明する。本実施形態にかかるレジシステムの購入総額確認動作は、図４のステップ１２０〜ステップ１２１に相当する。
【００４４】
購入者は、買い物途中で、買い物かごやカートに入れた購入商品の購入総額を確認する際、自身が所有する携帯電話機１０で購入総額確認操作を行う。
携帯電話機１０の制御部１８は、操作入力部１５で検出された購入総額確認操作に応じて（ステップ１２０）、購入総額算出部１８Ｄにより、操作入力部１５で検出された購入総額確認操作に応じて、記憶部１７の購入総額情報１７Ｂから購入総額を読み出し、画面表示部１６で画面表示して購入者に提示する（ステップ１２１）。
【００４５】
これにより、購入者が買い物途中で、買い物かごやカートに入れた購入商品の購入総額を確認する際、自身の携帯電話機で購入商品登録操作を行うだけで、それまでに登録した購入商品、すなわち買い物かごやカートに入れた購入商品の購入総額が、携帯電話機１０で画面表示される。
【００４６】
この際、購入総額算出部１８Ｄで、記憶部１７の購入商品情報１７Ａから商品コード、商品名、購入数量、単価、および購入金額の組を読み出して、画面表示部１６でリスト表示してもよい。この際、リスト表示された組のうちのいずれかを指定した編集操作に応じて、当該組のうちの購入数量を編集するようにしてもよい。これにより、購入者による任意の購入商品に関する購入数量の変更に対応できる。また、リスト表示された組のうちのいずれかを指定した削除操作に応じて、当該組の情報全体を削除するようにしてもよい。これにより、購入者による任意の購入商品の購入取りやめに対応できる。
【００４７】
［購入商品精算動作］
次に、図４を参照して、本実施形態にかかるレジシステムの購入商品精算動作について説明する。本実施形態にかかるレジシステムの購入商品精算動作は、図４のステップ１３０〜ステップ１３５に相当する。
【００４８】
購入者は、買い物かごやカートに入れた購入商品の精算を行う際、自身が所有する携帯電話機１０で購入商品精算操作を行う。
携帯電話機１０の制御部１８は、操作入力部１５で検出された購入商品精算操作に応じて（ステップ１３０）、精算要求部１８Ｅにより、記憶部１７の購入商品情報１７Ａを読み出し、通信Ｉ／Ｆ部１３を介してレジ装置３０とデータ通信を行うことにより、購入商品情報１７Ａを含む精算要求を送信する（ステップ１３１）。
【００４９】
レジ装置３０の購入情報取得部３２は、購入者が購入する購入商品の金額を精算する際、通信Ｉ／Ｆ部２１を介して携帯電話機１０から受信した購入要求から、購入商品情報１７Ａを取得する（ステップ１３２）。
【００５０】
続いて、レジ装置３０の精算処理部３５は、購入情報取得部３２で取得した購入商品情報１７Ａに含まれる組ごとに、当該購入数量と単価とを乗算して購入金額を算出した後、これら購入金額を集計することにより購入総額を算出（ステップ１３３）、得られた購入総額を表示部３４で表示して購入者に提示する（ステップ１３４）。
この後、精算処理部３５は、操作入力部３３で検出された金額確認操作に応じて、精算した購入総額について現金やキャッシュカードにより決済を行う（ステップ１３５）。
【００５１】
［本実施形態の効果］
このように、本実施形態は、商品管理装置２０で、販売する商品を識別するための商品コードごとに当該商品の単価を記憶しておき、購入者の所有する携帯電話機１０で、購入商品に添付されている商品コードを読み取って、商品管理装置２０とデータ通信を行うことにより商品コードと対応する単価をそれぞれ取得し、これら商品コードおよび単価と当該購入商品の購入数量との組を購入商品情報に登録し、これら単価と購入数量とに基づいて購入商品情報に登録されているすべての購入商品の購入総額を算出して画面表示することにより購入者へ提示するようにしたものである。
【００５２】
これにより、購入者の所有する携帯電話機での操作により、購入商品の購入総額を容易に確認できるため、店舗ごとに専用端末を用意して購入者への貸出・返却を管理する必要がなくなる。このため、店舗側での設備コスト負担や保守負担の発生、店舗および購入者の双方における、専用端末の貸出・返却のための負担の発生を解消することができ、店舗および購入者の双方に負担なく商品購入総額を購入者が確認することが可能となる。
【００５３】
また、本実施形態では、レジ装置３０を設けて、購入商品の金額を精算する際、携帯電話機１０とデータ通信を行うことにより購入商品情報１７Ａを取得し、この購入商品情報に含まれる各購入商品の単価と購入数量とに基づいて購入商品の支払金額を精算するようにしたので、レジ装置３０での商品コードの読み取り作業を不要とすることができ、購入者のみで精算・決済できるセルフレジシステムを実現できる。また、購入商品の金額を精算する精算処理を簡略化できるとともに、レジ装置３０から商品管理装置２０へアクセスして単価を取得する場合と比較して、商品管理装置２０に対するアクセスの集中を緩和することができる。
【００５４】
この際、レジ装置３０で、購入商品情報１７Ａに代えて購入総額情報１７Ｂを携帯電話機１０から取得して、この購入総額情報１７Ｂに含まれる購入総額に基づいて購入商品の支払金額を精算するようにしてもよい。これにより、レジ装置３０での精算処理をさらに簡略化できる。
【００５５】
なお、レジ装置３０において、携帯電話機１０から購入商品情報１７Ａのうち、各購入商品の商品コードおよび購入数量を取得し、商品管理装置２０とデータ通信を行うことによりこれら商品コードと対応する単価をそれぞれ取得し、これら購入商品の単価と購入数量とに基づいて購入商品の支払金額を精算するようにしてもよい。これにより、レジ装置３０での商品コードの読み取り作業を不要とすることができ、購入者のみで精算・決済できるセルフレジシステムを実現できる。また、単価や購入総額に対する不正にも対応することができる。
【００５６】
［実施形態の拡張］
以上、実施形態を参照して本発明を説明したが、本発明は上記実施形態に限定されるものではない。本発明の構成や詳細には、本発明のスコープ内で当業者が理解しうる様々な変更をすることができる。
【００５７】
［付記］
以下、本発明の特徴を付記する。
【００５８】
（付記１）
購入者が購入する購入商品の金額を精算するレジシステムであって、
販売する商品を識別するための商品コードごとに当該商品の単価を記憶する商品管理装置と、
前記購入者の所有する携帯電話機からなり、前記購入商品に添付されている商品コードを読み取って、前記商品管理装置とデータ通信を行うことにより前記商品コードと対応する単価をそれぞれ取得し、これら商品コードおよび単価と当該購入商品の購入数量との組を購入商品情報に登録し、これら単価と購入数量とに基づいて前記購入商品情報に登録されているすべての前記購入商品の購入総額を算出して画面表示することにより前記購入者へ提示する携帯電話機と
を備えることを特徴とするレジシステム。
【００５９】
（付記２）
付記１に記載のレジシステムにおいて、
前記購入商品の金額を精算する際、前記携帯電話機とデータ通信を行うことにより前記購入商品情報を取得し、この購入商品情報に含まれる各購入商品の単価と購入数量とに基づいて前記購入商品の支払金額を精算するレジ装置をさらに備えることを特徴とするレジシステム。
【００６０】
（付記３）
付記１に記載のレジシステムにおいて、
前記購入商品の金額を精算する際、前記携帯電話機とデータ通信を行うことにより前記購入総額を取得し、この購入総額に基づいて前記購入商品の支払金額を精算するレジ装置をさらに備えることを特徴とするレジシステム。
【００６１】
（付記４）
付記１に記載のレジシステムにおいて、
前記購入商品の金額を精算する際、前記携帯電話機とデータ通信を行うことにより前記購入商品情報のうちから、各購入商品の商品コードおよび購入数量を取得し、前記商品管理装置とデータ通信を行うことによりこれら商品コードと対応する単価をそれぞれ取得し、これら購入商品の単価と購入数量とに基づいて前記購入商品の支払金額を精算するレジ装置をさらに備えることを特徴とするレジシステム。
【００６２】
（付記５）
購入者が購入する購入商品の金額を精算するレジシステムで用いる商品購入総額確認方法であって、
商品管理装置が、販売する商品を識別するための商品コードごとに当該商品の単価を記憶する商品管理ステップと、
前記購入者の所有する携帯電話機が、前記購入商品に添付されている商品コードを読み取るステップと、
前記商品管理装置とデータ通信を行うことにより前記商品コードと対応する単価をそれぞれ取得するステップと、
これら商品コードおよび単価と当該購入商品の購入数量との組を購入商品情報に登録するステップと、
これら単価と購入数量とに基づいて前記購入商品情報に登録されているすべての前記購入商品の購入総額を算出して画面表示することにより前記購入者へ提示するステップと
を備えることを特徴とする商品購入総額確認方法。
【００６３】
（付記６）
商品を購入する購入者が所有する携帯電話機からなり、
前記購入者が購入する購入商品に添付されている商品コードを読み取って、当該商品コードの読取回数から得た購入数量または操作入力された当該購入商品の購入数量とを取得する商品情報登録部と、
販売する商品を識別するための商品コードごとに当該商品の単価を記憶する商品管理装置とデータ通信を行うことにより、前記商品コードと対応する単価をそれぞれ取得し、当該商品コードと単価の組を購入商品情報として保存する商品単価取得部と、
前記購入商品情報に含まれる前記商品コードと前記単価の組に基づいて、前記購入商品の購入総額を算出して画面表示する購入総額算出部と
を備えることを特徴とする携帯電話機。
【００６４】
（付記７）
付記６に記載の携帯電話機において、
精算要求操作に応じて、前記購入商品の金額を精算するレジ装置とデータ通信を行うことにより、前記購入商品情報のうち、少なくとも前記レジ装置での精算に用いる前記購入商品の商品コードを送信する精算要求部をさらに備えることを特徴とする携帯電話機。
【００６５】
（付記８）
コンピュータを、付記６または付記７に記載の携帯電話機を構成する各部として機能させるためのプログラム。
【符号の説明】
【００６６】
１…レジシステム、１０…携帯電話機、１１…無線通信部、１２…音声処理部、１３…通信Ｉ／Ｆ部、１４…カメラ部、１５…操作入力部、１６…画面表示部、１７…記憶部、１７Ａ…購入商品情報、１７Ｂ…購入総額情報、１７Ｐ…プログラム、１８…制御部、１８Ａ…呼制御部、１８Ｂ…商品情報登録部、１８Ｃ…商品単価取得部、１８Ｄ…購入総額算出部、１８Ｅ…精算要求部、２０…商品管理装置、２１…通信Ｉ／Ｆ部、２２…単価照会部、２３…商品マスタ情報記憶部、３０…レジ装置、３１…通信Ｉ／Ｆ部、３２…購入情報取得部、３３…操作入力部、３４…表示部、３５…精算処理部。
【図１】
2011227643.tif 000003
【図２】
2011227643.tif 000004
【図３】
2011227643.tif 000005
【図４】
2011227643.tif 000006